(57)【特許請求の範囲】
【請求項１】
外線に接続された親機と、当該親機に無線で接続され当該親機を介して前記外線に接続される子機とから構成され、前記親機または子機のいずれか一方が前記外線と接続中には他方の前記外線への接続を禁止する秘話モードと、前記親機または子機のいずれか一方が前記外線と接続中でも他方の前記外線への接続を許可する３者通話モードとの少なくとも２つの通話モードを備えたコードレス子機付通信装置において、
前記子機の前記親機からの距離を検出して前記子機が前記親機を中心とする３者通話圏内にあるか否かを認識する親機・子機間距離認識手段と、その親機・子機間距離認識手段により前記子機が前記３者通話圏内にあると認識されている場合には通話モードを前記３者通話モードに設定する一方、前記子機が前記３者通話圏内にないと認識されている場合には通話モードを前記秘話モードに設定する通話モード設定手段とを備えたことを特徴とするコードレス子機付通信装置。
【請求項２】
外線に接続された親機と、当該親機に無線で接続され当該親機を介して前記外線に接続される複数の子機とから構成され、前記親機または子機のいずれか一方が前記外線と接続中には他方の前記外線への接続を禁止する秘話モードと、前記親機または子機のいずれか一方が前記外線と接続中でも他方の前記外線への接続を許可する３者通話モードとの少なくとも２つの通話モードを備えたコードレス子機付通信装置において、
前記各子機は自機のＩＤを前記親機に通知するＩＤ通知手段を備える一方、前記親機は前記各子機から通知されるＩＤを認識するＩＤ認識手段を備えると共に、前記ＩＤ認識手段により特定される前記各子機の前記親機からの距離をそれぞれ検出して、前記各子機が前記親機を中心とする３者通話圏内にあるか否かを認識する親機・子機間距離認識手段と、その親機・子機間距離認識手段により前記３者通話圏内にあると認識されている子機については通話モードを前記３者通話モードに設定する一方、前記３者通話圏内にないと認識されている子機については通話モードを前記秘話モードに設定する通話モード設定手段とを備えたことを特徴とするコードレス子機付通信装置。
【請求項３】
前記子機が前記３者通話圏内にあるか否かの前記親機・子機間距離認識手段における認識状態を告知する親機・子機間距離告知手段を更に備えたことを特徴とする請求項１または２のいずれかの記載のコードレス子機付通信装置。
【発明の詳細な説明】
【０００１】
【発明の属する技術分野】
本発明は、コードレス子機付通信装置に関し、特に、外線に接続された親機と、当該親機に無線で接続され当該親機を介して前記外線に接続される子機とから構成され、前記親機または子機のいずれか一方が前記外線と接続中には他方の前記外線への接続を禁止する秘話モードと、前記親機または子機のいずれか一方が前記外線と接続中でも他方の前記外線への接続を許可する３者通話モードとの少なくとも２つの通話モードを備えたコードレス子機付通信装置に関する。
【０００２】
【従来の技術】
従来のコードレス子機を有する電話装置やファクシミリ装置等のコードレス子機付通信装置においては、親機が外線と接続されて通話または通信中は子機が外線に接続できないようにしたり、またその逆に子機が外線と通話はたは通信中は、親機が外線に接続できないようにする秘話機能を備えることで、他方の通話・通信を妨害することのないようにしているもの（特開昭５６−１２３１３８号公報参照）や、秘話モードにおいて親機または子機のうちの通話中の一方が所定の操作を行うことで３者通話モードに移行し、他方が通話に参加できるようにしたもの（特開昭５６−１２３１４１号公報参照）等があった。
【０００３】
【発明が解決しようとする課題】
前者の技術においては秘話機能しかなく３者通話は行えず、後者の技術においては秘話モードと３者通話モードを切り換える際、通常は秘話モードであり、３者通話を行いたい場合には、ユーザが所定の操作を行わなければならす、操作が煩わしいという不具合があった。
【０００４】
特に親機側がファクシミリ機能を持っている装置の場合、ファクシミリ装置のすぐ近くで子機を使用中で、親機のファクシミリ装置を直接操作できる状態でも、秘話モードの場合には、親機のファクシミリスタートボタン等を操作しても、秘話モードであるために、親機のファクシミリ装置が外線に接続してファクシミリ通信を開始することはできず、３者通話モードに切り換えるための親機側または子機側の特定のボタンをわざわざ操作しなければないらいという問題点があった。
【０００５】
一方、有線のハンドセットが付属する通常のファクシミリ装置（親機）においては、当該ハンドセットを使用している場合でも、ファクシミリ装置本体のファクシミリ通信用のスタートボタンを押せば、ファクシミリ装置本体が外線に接続されてそのままファクシミリ通信を開始できる。
【０００６】
したがって、ユーザにとっては、親機としてのファクシミリ装置に付属する子機として機能的には同様のものとして認識している、コードレスの子機と有線のハンドセットとで、操作性が大きく異なることとなり、ユーザに対して、操作上の違和感を感じさせてしまうという問題点もあった。
【０００７】
本発明は係る事情に鑑みてなされたものであり、秘話モードと３者通話モードとを効果的に自動切替できるコードレス子機付通信装置を提供することを目的とする。
【０００８】
【課題を解決するための手段】
上記目的を達成するため、請求項１記載のコードレス子機付通信装置は、外線に接続された親機と、当該親機に無線で接続され当該親機を介して前記外線に接続される子機とから構成され、前記親機または子機のいずれか一方が前記外線と接続中には他方の前記外線への接続を禁止する秘話モードと、前記親機または子機のいずれか一方が前記外線と接続中でも他方の前記外線への接続を許可する３者通話モードとの少なくとも２つの通話モードを備えたコードレス子機付通信装置において、前記子機の前記親機からの距離を検出して前記子機が前記親機を中心とする３者通話圏内にあるか否かを認識する親機・子機間距離認識手段と、その親機・子機間距離認識手段により前記子機が前記３者通話圏内にあると認識されている場合には通話モードを前記３者通話モードに設定する一方、前記子機が前記３者通話圏内にないと認識されている場合には通話モードを前記秘話モードに設定する通話モード設定手段とを備えたことを特徴とする。
【０００９】
請求項２記載のコードレス子機付通信装置は、外線に接続された親機と、当該親機に無線で接続され当該親機を介して前記外線に接続される複数の子機とから構成され、前記親機または子機のいずれか一方が前記外線と接続中には他方の前記外線への接続を禁止する秘話モードと、前記親機または子機のいずれか一方が前記外線と接続中でも他方の前記外線への接続を許可する３者通話モードとの少なくとも２つの通話モードを備えたコードレス子機付通信装置において、前記各子機は自機のＩＤを前記親機に通知するＩＤ通知手段を備える一方、前記親機は前記各子機から通知されるＩＤを認識するＩＤ認識手段を備えると共に、前記ＩＤ認識手段により特定される前記各子機の前記親機からの距離をそれぞれ検出して、前記各子機が前記親機を中心とする３者通話圏内にあるか否かを認識する親機・子機間距離認識手段と、その親機・子機間距離認識手段により前記３者通話圏内にあると認識されている子機については通話モードを前記３者通話モードに設定する一方、前記３者通話圏内にないと認識されている子機については通話モードを前記秘話モードに設定する通話モード設定手段とを備えたことを特徴とする。
【００１０】
請求項３記載のコードレス子機付通信装置は、請求項１または２のいずれかの記載のコードレス子機付通信装置において、前記子機が前記３者通話圏内にあるか否かの前記親機・子機間距離認識手段における認識状態を告知する親機・子機間距離告知手段を更に備えたことを特徴とする。
【００１１】
【発明の実施の形態】
以下、添付図面を参照しながら、本発明の実施の形態を詳細に説明する。
【００１２】
先ず、図１は、本発明の実施の形態に係るコードレス子機付通信装置の親機としてのファクシミリ装置１のブロック構成を示している。
【００１３】
同図において、ファクシミリ装置１は、システム制御部２、ＲＯＭ３、ＲＡＭ４、スキャナ５、プロッタ６、画像メモリ７、符号化復号化部８、操作表示部９、モデム１０、網制御部１１、親機・子機間距離認識部１２、子機ＩＤ認識部１３、親機・子機間距離告知部１４、コードレス親機部１５、及び、システムバス１６により構成されている。
【００１４】
システム制御部２は、ＲＯＭ３書き込まれた制御プログラムに従って、ＲＡＭ４を作業領域として使用しながら、装置各部を制御するものである。
【００１５】
ＲＯＭ３は、前述したように、システム制御部２が上記装置各部を制御するための制御プログラムが記憶されているリードオンリメモリである。
【００１６】
ＲＡＭ４は、前述したようにシステム制御部２の作業領域として使用されるランダムアクセスメモリである。なお、ＲＡＭ４は、図示しないバックアップ用回路によりバックアップされており、装置電源遮断時にも記憶内容は保持される。
【００１７】
スキャナ５は、３．８５本／ｍｍ、７．７本／ｍｍ、１５．４本／ｍｍ等の所定の読み取り線密度で原稿画像を読み取って画情報を得るためのものである。プロッタ６は、受信した画情報を、その線密度に応じて記録出力したり、スキャナ５で読み取った画情報を、その線密度に応じて記録出力（コピー動作）するためのものである。
【００１８】
画像メモリ７は、スキャナ５で読み取った画情報を、メモリ送信するために一時的にファイルとして蓄積したり、受信した画情報を、プロッタ６により記録するまでファイルとして一時的に蓄積したりするためのものである。
【００１９】
符号化復号化部８は、送信画像データを、Ｇ３ファクシミリに適合する、ＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長するものである。
【００２０】
操作表示部９は、相手先ファクシミリ番号を指定するためのテンキー、送信スタートキー、ワンタッチダイヤルキー、及び、その他各種キーが配設される一方、液晶表示装置等の表示器を備え、ユーザに知らせるべき装置の動作状態や、各種メッセージを表示するものである。
【００２１】
モデム１０は、Ｇ３ファクシミリモデムであり、送信データを変調する一方、受信データを復調するものである。また、モデム１０は、入力されたダイヤル番号に対応してＤＴＭＦ信号の送出も行う。網制御部１１は、外線としての公衆網２０に接続されて、回線の直流ループの閉結・解放や、回線の極性反転の検出、回線解放の検出、発信音の検出、ビジートーン（話し中）等のトーン信号の検出、呼出信号の検出等の回線との接続制御や、ダイヤルパルスの生成を行うものである。また網制御部１１には、ハンドセット１７が接続されていて、網制御部１１は、モデム１０、ハンドセット１７、及び、後述するコードレス子機３０の公衆網２０への接続制御を行う。
【００２２】
親機・子機間距離認識部１２は、後述するコードレス子機３０（以後単に子機３０と称する場合もある）と、親機としてのファクシミリ装置１（以後単に親機１と称する場合もある）との距離を認識するためのものである。子機ＩＤ認識部１３は、複数の子機３０から通知されるＩＤを認識して各子機を区別するためのものである。親機・子機間距離告知部１４は、後述するように親機１と子機３０との間の距離に応じて設定される３者通話モードまたは秘話モードのいずれかに設定される通話モードをユーザに告知するためのものである。コードレス親機部１５は、コードレス子機３０を無線を介して収容してコードレス子機３０を網制御部１１を介して公衆網２０に接続するためのものである。システムバス１６は、上記各部がデータをやり取りするための信号ラインである。
【００２３】
次に、本発明の実施の形態に係るコードレス子機付通信装置のコードレス子機３０のブロック構成を図２を参照して説明する。
【００２４】
同図において、コードレス子機３０は、親機・子機間距離認識部３１、子機ＩＤ通知部３２、親機・子機間距離告知部３３、コードレス子機部３４、及び、システムバス３５により構成されている。
【００２５】
親機・子機間距離認識部３１は、親機１との距離を認識するためのものである。子機ＩＤ通知３２は、親機１に自機のＩＤを通知するためのものである。親機・子機間距離告知部３３、後述するように親機１と子機３０との間の距離に応じて設定される３者通話モードまたは秘話モードのいずれかに設定される通話モードをユーザに告知するためのものである。コードレス子機部３４は、親機１のコードレス親機部１５と無線でやりとりを行って、コードレス電話機能を実現するためのものである。システムバス３５は、上記各部がデータをやり取りするための信号ラインである。
【００２６】
次に以上のように構成される親機１及び子機３０において行われる制御手順について図３、図４、及び、図５を参照して説明する。
【００２７】
それらの図において、親機としてのファクシミリ装置１のシステム制御部２は、先ず、通話モードを「秘話モード」に設定する（処理１０１）。この秘話モードは、親機１または子機３０のいずれか一方が通話または通信中は、他方が通話または通信の要求をしてもそれに応じないで、秘話状態を維持するモードである。
【００２８】
そして、親機通話要求または子機通話要求があるかを監視する（判断１０２のＮｏ、判断１０３のＮｏループ）。ここで親機通話要求とは、親機１のハンドセット１７がオフフックされたことを示し、子機通話要求とは、子機３０のコードレス子機部３４からコードレス親機部１５に、オフフックを要求する信号が無線で通知されたことを示す。
【００２９】
親機通話要求があった場合は（判断１０２）、網制御部１１の制御により、親機１を公衆網２０に接続して通話または通信を開始させる（処理１０４）。そして、子機通話要求または親機ファックス通信要求があるかを監視する（判断１０５のＮｏ、判断１０６のＮｏループ）。親機ファックス通信要求とは、スキャナ５に原稿がセットされて操作表示部９の送信スタートキーが押下されたことを示す。
【００３０】
親機ファックス通信要求があった場合は（判断１０６のＹｅｓ）、網制御部１１を制御してハンドセット１７に代えてモデム１０を公衆網２０に接続し、ファックス通信を行い（処理１０７）、その後は、処理１０１に戻る。
【００３１】
子機通話要求があった場合は（判断１０５のＹｅｓ）、親機・子機間距離認識部１２により、親機１と子機３０との間の距離を確認する（処理１０８）。ここで、親機・子機間距離認識部１２による親機１と子機３０との間の距離の認識は、子機３０側の親機・子機間距離認識部３１との情報のやりとりにより行われる。具体的には、親機・子機間距離認識部１２及び３１は、例えばテレビのリモコンなどに使用されている、赤外線を用いた通信手段を用い、親機１と子機３０が見通せて赤外線が到達するような位置関係にある場合には親機１と子機３０とが比較的近くにあり、子機３０が３者通話圏内にあると判断し、壁などを挟み親機１と子機３０が有視界に無く赤外線が到達しない場合は、親機１と子機３０とが比較的離れていて、子機３０が３者通話圏内にはないと判断する。
【００３２】
そこで、処理１０８の後は、子機３０が親機１を中心とする３者通話圏内にあるかを判断し（判断１０９）。３者通話圏内にない場合には（判断１０９のＮｏ）、３者通話を拒否して（処理１１０）、秘話モードを維持し、処理１０４に戻る。処理１１０の３者通話拒否処理においては、子機３０側で３者通話を拒否することを示す音を発して、秘話モードにおいて親機１が通話中であることを、子機３０のユーザに通知する。
【００３３】
このように、秘話モードにおいて親機３０が通話中には、親機３０のファクシミリ通信要求は許可するが、子機３０からの通話要求は拒否される。しかし、判断１０９において、子機３０が３者通話圏内にある場合には（判断１０９のＹｅｓ）、更に、通話要求元の子機のＩＤを確認する（処理１１１）。その場合の通話要求元の子機のＩＤは、子機３０の子機ＩＤ通知部３２から子機ＩＤ認識部１３に赤外線通信手段により通知されるものである。
【００３４】
システム制御部２は、通知されたＩＤを確認することで、子機３０が複数ある場合でも、３者通話圏内に入った子機３０を特定でき、その特定した子機３０と公衆網１１とを、コードレス親機部１５及び網制御部１１を制御して公衆網２０に接続することで、３者通話モードとする（処理１１２）。この３者通話モードは、親機１または子機３０のいずれか一方が通話または通信中でも、他方が通話または通信の要求をしてきた場合には、それに応じて、秘話状態を解除して親機１及び子機３０の双方を公衆網２０に接続するモードである。
【００３５】
処理１１２の３者通話モードは、子機３０または親機１がオンフックされるか、あるいは、親機ファックス通信要求があるかを監視ししつつ継続される（判断１１３のＮｏ、判断１１４のＮｏ、判断１１５のＮｏループ）。
【００３６】
そして、３者通話モードにおいて、操作表示部９の送信スタートキーが押下されて親機ファックス通信要求があった場合は（判断１１５のＹｅｓ）、ファックス通信を行って（処理１１６）、処理１０１に戻る。３者通話モードにおいて、子機３０がオンフックされると（判断１１３のＹｅｓ）、処理１０４に移行して親機１のみを公衆網２０に接続した、親機通話状態に戻る。
【００３７】
３者通話モードにおいて、親機１がオンフックされると（判断１１４のＹｅｓ）、または、秘話通話モードにおいて、子機通話要求があると（判断１０３のＹｅｓ）、処理１１７に移行する。そして、親機・子機間距離認識部１２により親機・子機間距離を確認し（処理１１７）、親機・子機間距離告知部１４により、親機・子機間距離を告知する（処理１１８）。具体的には、親機・子機間距離認識部１２により、子機３０が３者通話圏内にあると認識されている場合には、親機・子機間距離告知部１４が液晶表示器などに、「子機使用中３者通話モード」等と表示し、子機３０が３者通話圏内にないと認識されている場合には、親機・子機間距離告知部１４が液晶表示器などに、「子機使用中秘話モード」等と表示する。なお、処理１１７及び１１８に対応する処理として、子機３０においても、親機・子機間距離認識部３１により親機・子機間距離を確認して、親機・子機間距離告知部３３により、親機・子機間距離を、３者通話圏内と圏外とを区別できるブザー音を発する等して、告知する。これにより、親機１のユーザや、子機３０のユーザは、現在、秘話モードであるのか３者通話モードであるのかを容易に確認可能で、他のユーザに自分の通話が聞かれ得る状況か否かについて確信を持つことができる。
【００３８】
処理１１８の後は、子機３０をコードレス親機部１５及び網制御部１１を介して公衆網２０に接続した子機通話状態となる（処理１１９）。処理１１７、処理１１８、及び、処理１１９は、親機通話要求または親機ファックス通信要求があるかの監視を行いつつ継続される（判断１２０のＮｏ、判断１２１のＮｏループ）。したがって、子機通話中の子機３０の移動に伴って、親機・子機間距離告知部１４や３３による、子機３０が３者通話圏内か否かの告知状態も変化して、ユーザは、常に現在の通話モードを確認できる。
【００３９】
そして、親機ファックス通信要求があった場合は（判断１２１のＹｅｓ）、親機・子機間距離認識部１２により、親機１と子機３０との間の距離を確認し（処理１２２）、子機３０が３者通話圏内にない場合には（判断１２３のＮｏ）、ファックス通信拒否処理を行い（処理１２５）、処理１１７に戻る。なお、処理１２５におけるファックス通信拒否処理は、ファックス通信を拒否する旨を操作表示部９に表示したり、ブザー音を発したりする処理で、これにより、ユーザは、秘話モードの子機通話中でファックス通信は行えないことを認識できる。
【００４０】
子機３０が３者通話圏内にある場合には（判断１２３のＹｅｓ）、要求通りにファックス通信を行い（処理１２４）、処理１０１に戻る。
【００４１】
親機通話要求があった場合は（判断１２０のＹｅｓ）、親機・子機間距離認識部１２により、親機１と子機３０との間の距離を確認し（処理１２６）、子機３０が３者通話圏内にない場合には（判断１２７のＮｏ）、３者通話拒否処理を行い（処理１２８）、処理１１７に戻る。なお、処理１２８における３者通話拒否処理は、３者通話を拒否する旨を操作表示部９に表示したり、ブザー音を発したりする処理で、これにより、ユーザは、秘話モードの子機通話中で３者通話は行えないことを認識できる。
【００４２】
子機３０が３者通話圏内にある場合には（判断１２７のＹｅｓ）、処理１１２に移行して、要求通りに３者通話を行う。処理１１２ないし判断１１５における３者通話状態では、親機１と子機３０との間の距離を、親機・子機間距離認識部１２により認識する処理を行わないため、３者通話中に、子機３０が親機１から離れていって３者通話圏内から外れた場合でも、秘話モードに切り替わってしまって、３者通話が途絶えてしまうこがなく、正常な３者通話を行える。
【００４３】
このように、本実施の形態によれば、子機３０が親機１の近くの３者通話圏内にあって、通話モードが３者通話モードであったほうが子機３０で通話中でも親機１でファクシミリ通信を開始させることができる等して便利である場合に、通話モードを秘話モードから３者通話モードに自動的に変更できるため、ユーザに煩雑な操作を強いることがない。
【００４４】
なお、以上説明した実施の形態においては、親機がファクシミリ装置であるコードレス子機付通信装置に本発明を適用したが、本発明は、それに限らず、親機が電話装置である場合や、ファクシミリデータ以外のその他のデータを送受信する通信装置である場合でも、同様に適用可能なものである。
【００４５】
【発明の効果】
請求項１に係る発明によれば、前記親機・子機間距離認識手段により前記子機が前記親機を中心とする前記３者通話圏内にあると認識されている場合には、通話モードが前記３者通話モードに設定される一方、前記子機が前記３者通話圏内にないと認識されている場合には、通話モードが前記秘話モードに設定されるため、前記子機が前記親機に近い前記３者通話圏内で、前記子機を使用中のユーザが前記親機の近くにいる場合には、当該ユーザは、前記親機を通常通りに操作して前記親機を回線に接続して前記親機による通話または通信を行うことが可能となる。したがって、前記ユーザは、前記子機を使用しつつ前記親機に近づいて、前記親機を使用した通話または通信を行うために３者通話モードに切り換えるための前記親機側または前記子機側の特定のボタンをわざわざ操作する必要がない一方、前記ユーザが前記３者通通話圏内にない場合には、秘話機能を実現するために、秘話モードに切り換えるための前記親機側または前記子機側の特定のボタンをわざわざ操作する必要がない。すなわち、前記秘話モードと前記３者通話モードとを前記子機の前記親機に対する使用位置に応じて効果的に自動切替できる効果が得られる。なお、前記秘話モードまたは３者通話モードを前記親機と前記子機の距離に関わらず、強制的に切り換える手段を更に設けることも可能で、その場合、前記子機が前記３者通話圏内にない場合でも、前３者通話モードに設定することができ、また、前記子機が前記３者通話圏内にある場合でも、前記秘話モードに設定することができる。
【００４６】
請求項２に係る発明によれば、複数の子機が前記親機に接続される場合でも、それぞれの子機と親機との距離を個別に認識できるため、それぞれの子機と親機との間で、秘話モードまたは３者通話モードのいずれかの通話モードに効果的に自動切替できる効果が得られる。
【００４７】
請求項３に係る発明によれば、子機を使用中のユーザが前記親機の近くに移動して、前記子機が前記３者通話圏内に入り、３者通話モードに切り替わったことや、子機を使用中のユーザが前記親機から離れて、前記子機が前記３者通話圏内から出て、秘話モードに切り替わったことをユーザが認識できるため、ユーザは、現在秘話モードで自分の通話が他のユーザに聞かれることはないと確信をもつことができ、また、現在３者通話モードで自分の通話が他のユーザに聞かれるおそれがあると確信をもつことができる。したがって、通話中に通話モードが自動的に切り替わってしまうことについて不安をもつ必要がなくなる利点がある。
【図面の簡単な説明】
【図１】本発明の実施の形態に係るコードレス子機付通信装置の親機としてのファクシミリ装置のブロック構成を示す図である。
【図２】本発明の実施の形態に係るコードレス子機付通信装置の子機のブロック構成を示す図である。
【図３】本発明の実施の形態に係るコードレス子機付通信装置における制御手順を示すフローチャートである。
【図４】図３と共に本発明の実施の形態に係るコードレス子機付通信装置における制御手順を示すフローチャートである。
【図５】図３及び図４と共に本発明の実施の形態に係るコードレス子機付通信装置における制御手順を示すフローチャートである。
【符号の説明】
１  ファクシミリ装置
２  システム制御部
３  ＲＯＭ
４  ＲＡＭ
５  スキャナ
６  プロッタ
７  画像メモリ
８  符号化復号化部
９  操作表示部
１０  モデム
１１  網制御部
１２  親機・子機間距離認識部
１３  子機ＩＤ認識部
１４  親機・子機間距離告知部
１５  コードレス親機部
１６  システムバス
１７  ハンドセット
２０  公衆網
３０  コードレス子機
３１  親機・子機間距離認識部
３２  子機ＩＤ通知部
３３  親機・子機間距離告知部
３４  コードレス子機部
３５  システムバス
【図１】
0003653557.tif 000002
【図２】
0003653557.tif 000003
【図３】
0003653557.tif 000004
【図４】
0003653557.tif 000005
【図５】
0003653557.tif 000006